(57)【要約】【課題】  特別な駆動手段を用いることなく、噴射ノズルを回転させ、熱交換ユニットを均一的に洗浄できるようにする。【解決手段】  洗浄液を圧送する給水パイプ３に複数の噴射ノズル２を回転自在に枢着する。噴射ノズル２に洗浄液を噴射する噴射孔を形成し、各分岐パイプ６を通って噴射ノズル２に洗浄液を送り、噴射ノズル２の噴射孔から熱交換ユニット１１に向かって洗浄液を噴射する。この時、噴射孔から噴射される洗浄液の圧力によって、隣接する噴射ノズル２は互いに逆方向に回転しながら熱交換ユニット１１の全面に隈なく洗浄液を噴射し、熱交換ユニット１１に付着した汚れを除去する。【選択図】図１
2008076030.tif 000002
【特許請求の範囲】
【請求項１】
噴射ノズルと、この噴射ノズルに洗浄液を供給する給水パイプと、この給水パイプに洗浄液を送る洗浄液供給手段とを備えた洗浄ユニットを設け、前記噴射ノズルを前記給水パイプに回動自在に軸支するとともに、その噴射ノズルには前記洗浄液を噴射するための複数の噴射孔を形成し、かつ、その各噴射孔から噴射される洗浄液の噴射方向を、前記各噴射ノズルの回転中心を境界して相互に逆方向とし、各噴射孔から噴射される洗浄液によって各噴射ノズルを回転付勢したことを特徴とする洗浄装置。
【請求項２】
前記噴射ノズルを複数、並設するとともに、隣接する噴射ノズルは、その各噴射ノズルに形成する噴射孔から噴射される洗浄液によって相互に逆方向に回転付勢されていることを特徴とする請求項１記載の洗浄装置。
【請求項３】
前記給水パイプは、洗浄液を供給する主給水パイプと、この主給水パイプから分岐して並設された複数の分岐パイプとから成り、その各分岐パイプに前記各噴射ノズルを回転自在に軸支したことを特徴とする請求項２記載の洗浄装置。
【請求項４】
前記請求項１〜３記載の洗浄装置をユニットクーラーの熱交換ユニットの背面側に装着し、前記噴射ノズルから噴射する洗浄液によって熱交換ユニットを洗浄することを特徴とするユニットクーラーの洗浄装置。
【発明の詳細な説明】
【技術分野】
【０００１】
本発明は、噴射ノズルに噴射する洗浄液によって、ユニットクーラーの熱交換ユニットを洗浄する洗浄装置及びユニットクーラーの洗浄装置に関する。
【背景技術】
【０００２】
一般に室温を低温状態で保って作業を行う工場などにおいて、ユニットクーラーが設置されているが、産業用のユニットクーラーは、常時、稼動しており、冷房性能の維持あるいは室内のクリーン化などからユニットクーラーの洗浄は重要である。また、近年、オフィスや一般家庭などにおいて、エアコンディショナー（以下、エアコンと称す）から発生する悪臭やカビの発生といった衛生面あるいは性能維持といった観点から、エアコン洗浄に対する需要が強くなってきている。このような要望に対して例えば、特許文献１には、天井埋込型空調機の熱交換器を自動洗浄する自動洗浄装置として、旋回式噴射ノズルと、この旋回式噴射ノズルに複数の洗剤液及び圧縮空気を切換供給する為の各種配管と、噴射ノズルへの洗剤液、洗浄液及び圧縮空気の選択供給を司る切換弁と、洗浄液の圧送手段と、圧縮空気を送るエアコンプレッサ及びこれら圧送手段やエアコンプレッサの自動切換を司る制御部とを備えた自動洗浄装置が開示されている。
【０００３】
この自動洗浄装置は、その制御部の作動プログラムによって、圧送手段が作動開始し、旋回を始めた洗浄ノズから与圧洗剤液が供給される。次に、熱交換器に付着した油性の汚れを落とし終えると、切換弁を自動切換し、噴射ノズルから与圧洗浄液を供給して熱交換器に付着した洗剤液を洗い落して圧送手段の作動を停止する。この後、エアコンプレッサが起動すると共に、切換弁が自動切換されて、噴射ノズルから圧縮空気を噴射することによって、洗浄液で濡れた熱交換器を急速に乾燥させる。その後、切換弁を切り換えて噴射ノズルに洗剤液を供給する初期状態として、一連の自動洗浄作業が完了する。
【０００４】
また、特許文献２には、空調機の熱交換器の中央部に正逆駆動モータを配設し、その駆動軸にベース板中央部を連結して該ベース板を水平方向に回転可能に保持するとともに、ベース板に洗浄液の噴射ノズルを熱交換器内壁に向けて配設し、その噴射ノズルから洗浄液が噴出している状態で駆動モータによりベース板を上記熱交換器内において往復回転して熱交換器を洗浄するとともに、熱交換器下方位置において洗浄排水を集水するための排水受を吊設し、この排水受に設けた排水ホースから洗浄液を排水するように構成した空調機の自動洗浄装置が開示されている。
【０００５】
【特許文献１】特開平８−１７８５９０号公報
【特許文献２】特開２００４−３３３０３２号公報
【発明の開示】
【発明が解決しようとする課題】
【０００６】
この種の洗浄装置において、熱交換ユニット（熱交換器）の洗浄効率を高めるためには、噴射ノズルから噴射させる洗浄液を熱交換ユニットに対して隅々まで均一的に噴射させる不可欠である。そして、特許文献１、２では、それぞれモータなどの駆動手段によって噴射ノズルを熱交換ユニットに対して旋回させているため、構造が複雑化であるばかりでなく、駆動手段の消費電力などの面からもコストの上昇を招くとともに、装置全体の重量も増え、熱交換ユニットに装着する際の取り扱いにも不便である。
【０００７】
本発明は上記課題を鑑みてなされたものであり、特別な駆動手段を用いることなく、熱交換ユニットに対して噴射ノズルを回転させて熱交換ユニットを均一的に洗浄することができる洗浄装置及びユニットクーラーの洗浄装置を提供することを目的とする。
【課題を解決するための手段】
【０００８】
請求項１に係る洗浄装置は、噴射ノズルと、この噴射ノズルに洗浄液を供給する給水パイプと、この給水パイプに洗浄液を送る洗浄液供給手段とを備えた洗浄ユニットを設け、前記噴射ノズルを前記給水パイプに回動自在に軸支するとともに、その噴射ノズルには前記洗浄液を噴射するための複数の噴射孔を形成し、かつ、その各噴射孔から噴射される洗浄液の噴射方向を、前記各噴射ノズルの回転中心を境界して相互に逆方向とし、各噴射孔から噴射される洗浄液によって各噴射ノズルを回転付勢したことを特徴とする。
【０００９】
請求項１の構成によれば、洗浄液供給手段によって、洗浄液を給水パイプから噴射ノズルに向けて圧送し、噴射ノズルの噴射孔から洗浄対象に向かって洗浄液を噴射する。この噴射孔から噴射される洗浄液の圧力によって噴射ノズルは回転しながら洗浄対象に洗浄液が噴射され、洗浄対象に付着した汚れが除去される。
【００１０】
請求項２に係る洗浄装置は、請求項１記載の洗浄装置において、前記噴射ノズルを複数、並設するとともに、隣接する噴射ノズルは、その各噴射ノズルに形成する噴射孔から噴射される洗浄液によって相互に逆方向に回転付勢されていることを特徴とする。
【００１１】
請求項２の構成によれば、隣接する噴射ノズルを相互に逆方向に回転されることで、熱交換ユニットに噴射する洗浄液の噴射ムラを抑えるために、各噴射ノズルの回転領域の一部が重なるように噴射ノズルを配置した場合、隣接する噴射ノズルの端部が突き当たったとしても、噴射ノズルの回転を許容する方向に噴射ノズルが回転するから、噴射ノズルが引っ掛かって噴射ノズルの回転が停止する心配はない。
【００１２】
請求項３に係る洗浄装置は、請求項２記載の洗浄装置において、前記給水パイプは、洗浄液を供給する主給水パイプと、この主給水パイプから分岐して並設された複数の分岐パイプとから成り、その各分岐パイプに前記各噴射ノズルを回転自在に軸支したことを特徴とする。
【００１３】
請求項３の構成によれば、洗浄液を主給水パイプから各分岐パイプへと圧送し、各分岐パイプから噴射ノズルに洗浄液を送り、噴射ノズルの噴射孔から洗浄対象に向かって洗浄液を噴射することによって、噴射孔から噴射される洗浄液の圧力によって隣接する噴射ノズルは回転しながら洗浄対象に洗浄液を噴射する。
【００１４】
請求項４のユニットクーラーの洗浄装置は、前記請求項１〜３記載の洗浄装置をユニットクーラーの熱交換ユニットの背面側に装着し、前記噴射ノズルから噴射する洗浄液によって熱交換ユニットを洗浄することを特徴とする。
【００１５】
請求項４の構成によれば、ユーザーの要望あるいはメンテナンス時においてユニットクーラーの熱交換ユニットの背面に洗浄ユニットを取り付け、噴射ノズルの噴射孔から洗浄ユニットに向かって洗浄液を噴射することによって、熱交換ユニットに付着した汚れを効率的に除去して熱交換ユニットに付着した汚れを洗浄することができる。
【発明の効果】
【００１６】
本発明によれば、ユニットクーラーの背面に洗浄ユニットを取り付け、噴射ノズルから熱交換ユニットに向かって洗浄液を噴射すると、噴射ノズルが回転して熱交換ユニットに洗浄液を噴射することから、熱交換ユニットに部分的に洗浄液が噴射されることなく、ほぼ熱交換ユニットの全域に渡って洗浄液を隈なく噴射することができる。また、噴射ノズルは、噴射孔から噴射される洗浄液の圧力によって回転させることから、噴射ノズルを回転させるための特別な駆動手段も不要で、構造も簡単であり、製造コストも抑えることができるとともに、熱交換ユニットの軽量化によってユニットクーラーへの着脱も容易で取り扱いに便利である。さらに、隣接する噴射ノズルは、互いに逆方向に回転付勢されているから、仮に隣接する噴射ノズルの端部が突き当たったとしても、それぞれ噴射ノズルの回転を許容する方向に噴射ノズルが回転し、噴射ノズルの回転が停止することはない。
【発明を実施するための最良の形態】
【００１７】
以下、本発明を実施するための最良の形態としての実施例を図１から図３を参照して説明する。もちろん、本発明は、その発明の趣旨に反さない範囲で、実施例において説明した以外のものに対しても容易に適用可能なことは説明を要するまでもない。
【００１８】
図１を参照して本実施例におけるユニットクーラーの洗浄ユニットの概略について説明する。なお、本実施例においては、主に工場などにおいて室内に設置する産業用ユニットクーラーを洗浄する洗浄ユニット１に適用した場合を例として説明する。本実施例における洗浄ユニット１は、複数（本実施例においては４個）の噴射ノズル２と、この噴射ノズル２に洗浄液を供給する給水パイプ３と、この給水パイプ３に洗浄液を圧送する洗浄液供給手段としてのポンプ３ａと、給水パイプ３を取り付ける枠状の取付フレーム４などから構成される。
【００１９】
前記給水パイプ３は、主給水パイプ５と、この主給水パイプ５から分岐して並設された複数の分岐パイプ６とから成り、その各分岐パイプ６の先端部に前記各噴射ノズル２がそれぞれ回転自在に軸支されている。なお、隣接する各分岐パイプ６の間隔は、各噴射ノズル２に半分の長さよりやや狭く設定され、各分岐パイプ６の各噴射ノズル２は、それぞれ噴射ノズル２の回転領域が重なるように配置されている。また、給水パイプ３のポンプ３ａとの間には、圧力調整弁７が設けられており、この圧力調整弁７により、噴射ノズル２に形成する噴射孔８から噴射する洗浄液の圧力を調整する。この各噴射ノズル２に形成する噴射孔８は、図３に示すように、噴射ノズル２の中心に対して左右何れか一方に斜め下方（洗浄ユニット１側）に向かって形成され（図３では右側に形成した例を示す）、かつ、噴射ノズル２の回転中心となる軸支部２ａを境界として左右対称となるように形成される。これにより、各噴射孔８から噴射する洗浄液の圧力Ｐによって軸支部２ａを中心として噴射ノズル２が回転する。また、各分岐パイプ６の先端部にそれぞれ枢着して並設された各噴射ノズル２は、隣接する各噴射ノズル２が相互に逆回転となるように、噴射孔８が形成されている。すなわち、隣接する噴射ノズル２に形成する噴射孔８の向きが逆となるように各分岐パイプ６の先端部に交互に配置されている。
【００２０】
前記洗浄ユニット１は、ユニットクーラー１０の熱交換ユニット１１の背面に取付フレーム４によって装着し、各噴射ノズル２から熱交換ユニット１１に向かって洗浄液を噴射することによって熱交換ユニット１１を洗浄する。なお、洗浄ユニット１は、フード１２により覆われ、洗浄液の飛散を防止するととともに、熱交換ユニット１１を洗浄した排水を排水管１３から排水する。なお、図２において符号１５はユニットクーラー１０の前面側に設けた送風口１９から冷風を送るための送風ファン、１７は前記熱交換ユニット１１と送風ファン１５との間に設けた飛散防止板である。
【００２１】
以上のように構成される洗浄ユニット１の作用について説明する。先ず、取付フレーム４によって、熱交換ユニット１１の背面に洗浄ユニット１を取り付けた後、熱交換ユニット１１の背面にフード１２を装着して熱交換ユニット１１を覆う。
【００２２】
次に、圧力調整弁７により、噴射ノズル２に形成する噴射孔８から噴射する洗浄液の圧力を設定し、ポンプ３ａが起動することによって、図示しないタンク内の洗浄液を所定圧力のもとに噴射ノズル２に向けて圧送する。これにより、主給水パイプ５から各分岐パイプ６を通って噴射ノズル２に洗浄液が送られ、この噴射ノズル２の噴射孔８から熱交換ユニット１１に向かって洗浄液が噴射される。この噴射孔８から噴射される洗浄液の圧力によって隣接する噴射ノズル２は互いに逆方向に回転しながら熱交換ユニット１１の全面に隈なく洗浄液を噴射し、熱交換ユニット１１に付着した汚れを効率的に除去する。この熱交換ユニット１１に噴射した洗浄液は熱交換ユニット１１に付着した汚れとともに、排水管１３からユニットクーラー１０の外部に排水される。また、洗浄時において、熱交換ユニット１１と送風ファン１５との間に設けた飛散防止板１７によって噴射ノズル２から噴射される洗浄液の送風ファン１５への飛散や送風口１９から外部への洗浄液の流出を防止することができる。
【００２３】
以上のように、本実施例における洗浄ユニット１１は、ユーザーの要望あるいはメンテナンス時において設置されたユニットクーラー１０の背面に取り付け、熱交換ユニット１１に付着した汚れを効率的に除去でき、熱交換ユニット１１を簡単に洗浄することができる。また、洗浄時において、並設した複数の噴射ノズル２を回転させて熱交換ユニット１１に洗浄液を噴射することから、熱交換ユニット１１に部分的に洗浄液が噴射されることなく、ほぼ熱交換ユニット１１の全域に渡って洗浄液を隈なく噴射することができ、しかも、噴射ノズル２は、噴射孔８から噴射される洗浄液の圧力によって回転させることから、噴射ノズル２を回転させるための特別な駆動手段も不要で、構造も簡単であり、製造コストも抑えることができ、かつ、熱交換ユニット１１の軽量化によってユニットクーラー１への着脱も容易で取り扱いに便利である。さらに、噴射ノズル２は、熱交換ユニット１１の全域に渡って洗浄液を隈なく噴射するために、それぞれ噴射ノズル２の回転領域が重なるように配置しているが、隣接する噴射ノズル２に形成する噴射ノズル２の噴射孔８の向きを変えることで隣接する噴射ノズル２は、互いに逆方向に回転付勢されているから、隣接する噴射ノズル２の端部が突き当たったとしても、噴射ノズル２の回転が規制されることはない。すなわち、並設する全ての噴射ノズル２の回転方向を揃えると、噴射ノズル２の回転速度などによって隣り合う噴射ノズル２の端部が突き当たった場合、回転方向が同じ場合、噴射ノズル２が引っ掛かって噴射ノズル２の回転が停止する虞れがあるが、隣接する噴射ノズル２の回転方向を互いに逆方向とすることで、仮に隣接する噴射ノズル２の端部が突き当たったとしても、それぞれ噴射ノズル２の回転を許容する方向に噴射ノズル２が回転するため、噴射ノズル２の回転が停止することはない。
【００２４】
以上、本発明の一実施例について詳述したが、本発明は、前記実施例に限定されるものではなく、本発明の要旨の範囲内で種々の変形実施が可能である。例えば、前記実施例では、洗浄液供給手段としてのポンプ３ａを用いたが水道の蛇口と給水パイプ３とを連結してポンプ３ａを省略してもよい。また、噴射ノズルの個数や洗浄ユニット１の基本的構成などは、前記実施例に限定されるものではなく、適宜選定すればよい。
【図面の簡単な説明】
【００２５】
【図１】本発明の一実施例を示す洗浄ユニットの正面図である。
【図２】同上、洗浄ユニットの側面図である。
【図３】同上、噴射ノズルの断面図である。
【符号の説明】
【００２６】
１    洗浄ユニット
２    噴射ノズル
３    給水パイプ
５    主給水パイプ
６    分岐パイプ
８    噴射孔
１０    ユニットクーラー
１１    熱交換ユニット
【図１】
2008076030.tif 000003
【図２】
2008076030.tif 000004
【図３】
2008076030.tif 000005